(57)【要約】【課題】  バースト信号の先頭部分に配置されたヘッダ情報に情報を挿入する。【解決手段】  伝送レート制御部４４は、インターフェース部３２から制御情報のうち伝送レートに関する情報を受け付け、当該情報にもとづいて、符号化部３４に符号化率を指示し、変調部３６に変調方式を指示する。データ長取得部４６は、インターフェース部３２から制御情報のうちのデータ長に関する情報を受付け、ヘッダ生成部４８に出力する。割当部９０は、データチャネルを送信する前に測定したＳＮ比にもとづいて端末装置に簡易番号を付与する。ヘッダ生成部４８は、生成したヘッダ情報をＱＰＳＫ変調する。信号生成部３８は、変調部３６から入力した信号とヘッダ生成部４８から入力したヘッダ情報にもとづいて、バースト信号を生成する。【選択図】  図１０
2005260611.tif 000002
【特許請求の範囲】
【請求項１】
所定の受信装置に送信すべきデータを入力するデータ入力部と、
前記入力したデータに対応した制御情報を入力する制御情報入力部と、
前記入力したデータに含まれた受信装置の識別番号とは別に受信装置を識別するための簡易番号であって、前記識別番号より簡易な簡易番号を付与する簡易番号付与部と、
前記入力した制御情報を予め規定された複数の繰り返し回数よりも少ない回数だけ繰り返してヘッダ情報を生成するヘッダ情報生成部と、
前記予め規定された複数の繰り返し回数と前記制御情報を繰り返した回数との差違に応じて、前記生成したヘッダ情報に前記付与した簡易番号を挿入する簡易番号挿入部と、
前記簡易番号を挿入したヘッダ情報と前記入力したデータにもとづいて、バースト信号を生成するバースト信号生成部と、
前記生成したバースト信号を前記受信装置に送信する送信部と、
を備えることを特徴とする送信装置。
【請求項２】
複数の受信装置にそれぞれ送信すべきデータは、送信する際の単位時間当たりの伝送レートを可変に設定可能であり、複数の受信装置にそれぞれ送信すべきデータの単位時間当たりの伝送レートに応じて、複数の受信装置を分類すべき複数のグループを予め規定しており、かつ複数のグループのそれぞれで割り当て可能な複数の簡易番号に対応したグループの番号に関する情報を予め記憶する記憶部と、
所定の受信装置に送信すべきデータの単位時間当たりの伝送レートにもとづいて、前記受信装置にグループの番号を割り当てる割当部とをさらに備え、
前記簡易番号付与部は、前記記憶した情報にもとづいて、前記割り当てたグループの番号に対応した複数の簡易番号のうちのいずれかを前記受信装置に付与することを特徴とする請求項１に記載の送信装置。
【請求項３】
前記制御情報入力部に入力した制御情報は、複数のビットによって構成されており、
前記簡易番号付与部で付与した簡易番号は、複数のビットによって構成されており、
前記ヘッダ情報生成部は、前記制御情報を構成した複数のビットのそれぞれを予め規定された複数の繰り返し回数よりも少ない回数だけ繰り返し、
前記簡易番号挿入部は、前記制御情報を構成した複数のビットのそれぞれをひとつの単位としたブロックに対して、繰り返し回数が、前記予め規定された複数の繰り返し回数よりも少ない回数から、前記予め規定された複数の繰り返し回数になるまで、前記制御情報を構成した複数のビットのそれぞれの代わりに、前記簡易番号を構成した複数のビットを変換したそれぞれの値を分割しつつ挿入し、前記簡易番号を構成した複数のビットを変換したそれぞれの値は、ブロックのそれぞれの平均値が前記制御情報を構成した複数のビットのそれぞれの値に近くなるように生成されることを特徴とする請求項１または２に記載の送信装置。
【請求項４】
前記簡易番号挿入部は、前記簡易番号を構成した複数のビットのそれぞれから、当該それぞれの値を反転した値と当該それぞれの値を組合せた値に変換することを特徴とする請求項３に記載の送信装置。
【請求項５】
前記データ入力部は、複数の受信装置にそれぞれ送信すべきデータを入力し、
前記簡易番号付与部は、前記入力したデータをそれぞれ送信すべき複数の受信装置に対して、複数の簡易番号をそれぞれ付与し、
前記簡易番号挿入部は、前記生成したヘッダ情報に前記付与した複数の簡易番号をそれぞれ挿入し、
前記バースト信号生成部は、前記複数の簡易番号をそれぞれ挿入したヘッダ情報と前記入力したデータにもとづいて、ひとつのバースト信号を生成することを特徴とする請求項１から４のいずれかに記載の送信装置。
【請求項６】
前記簡易番号挿入部は、前記生成したヘッダ情報に前記付与した複数の簡易番号をそれぞれ挿入する際に、挿入されるべき複数の簡易番号を所定の規則性にもとづいて並べることを特徴とする請求項５に記載の送信装置。
【請求項７】
前記データ入力部に入力した複数の受信装置にそれぞれ送信すべきデータは、送信する際の単位時間当たりの伝送レートを可変に設定可能であり、
前記バースト信号生成部は、複数の受信装置にそれぞれ送信すべきデータの単位時間当たりの伝送レートが同一である場合に、複数の受信装置にそれぞれ送信すべきデータをひとつのバースト信号に含めることを特徴とする請求項５に記載の送信装置。
【請求項８】
所定の受信装置に送信すべきデータと、前記データに対応した制御情報を入力するとともに、前記データに含まれた受信装置の識別番号とは別に受信装置を識別するための簡易番号であって、前記識別番号より簡易な簡易番号を付与し、前記入力した制御情報を予め規定された複数の繰り返し回数よりも少ない回数だけ繰り返してヘッダ情報を生成しつつ、前記予め規定された複数の繰り返し回数と前記制御情報を繰り返した回数との差違に応じて、前記生成したヘッダ情報に前記付与した簡易番号を挿入し、前記簡易番号を挿入したヘッダ情報と前記入力したデータにもとづいて、バースト信号を生成することを特徴とする送信方法。
【請求項９】
データと、前記データに対応した制御情報と、前記データに含まれた受信装置の識別番号とは別に受信装置を識別するための簡易な簡易番号によって構成されたバースト信号であって、前記制御情報が予め規定された複数の繰り返し回数よりも少ない回数だけ繰り返され、かつ前記簡易番号が前記予め規定された複数の繰り返し回数と前記制御情報を繰り返した回数の差違に応じて挿入されたバースト信号を受信する受信部と、
前記受信したバースト信号から、前記制御情報と前記簡易番号に対応したヘッダ情報を抽出する抽出部と、
前記抽出したヘッダ情報に対して、前記予め規定された複数の繰り返し回数に応じた処理を行って制御情報と簡易番号を導出する導出部と、
前記導出した簡易番号が自らの簡易番号に該当すれば、前記導出した制御情報にもとづいてデータの処理内容を決定する決定部と、
前記決定したデータの処理内容に応じて、前記データを処理する処理部と、
を備えることを特徴とする受信装置。
【請求項１０】
前記受信部で受信したバースト信号に含まれた制御情報は複数のビットで構成され、前記制御情報を構成した複数のビットのそれぞれをひとつの単位にしたブロックの内部で、前記制御情報を構成した複数のビットのそれぞれが予め規定された複数の繰り返し回数よりも少ない回数だけ繰り返されており、かつ前記簡易番号は複数のビットで構成され、前記簡易番号を構成した複数のビットを変換したそれぞれの値がそれぞれのブロックに挿入されており、
前記導出部は、前記抽出したヘッダ情報に含まれたブロックのそれぞれに対して、前記予め規定された複数の繰り返し回数だけブロックの内部で加算処理を行って制御情報を導出し、かつ簡易番号を構成した複数のビットのそれぞれに対してなされた変換が、ブロックのそれぞれの平均値が前記制御信号を構成した複数のビットのそれぞれの値に近くなる規則性にもとづくことを利用して、前記ブロックのそれぞれから簡易番号を導出することを特徴とする請求項９に記載の受信装置。
【請求項１１】
前記導出部は、簡易番号を構成した複数のビットのそれぞれに対してなされた変換が、前記簡易番号を構成した複数のビットのそれぞれから、当該それぞれの値を反転した値と当該それぞれの値を組合せた値への変換であることを利用して、前記ブロックのそれぞれから簡易番号を導出することを特徴とする請求項１０に記載の受信装置。
【請求項１２】
前記決定部は、前記導出部が複数の簡易番号を導出した場合に、前記導出した複数の簡易番号のいずれかが自らの簡易番号に該当すれば、前記導出した制御信号にもとづいてデータの処理内容を決定することを特徴とする請求項９から１１のいずれかに記載の受信装置。
【請求項１３】
前記処理部は、前記処理したデータから抽出した識別番号が自らの識別番号に該当しなければ、前記処理したデータを破棄することを特徴とする請求項９から１２のいずれかに記載の受信装置。
【請求項１４】
データと、前記データに対応した制御情報と、前記データに含まれた受信装置の識別番号とは別に受信装置を識別するための簡易な簡易番号によって構成されたバースト信号であって、前記制御情報が予め規定された複数の繰り返し回数よりも少ない回数だけ繰り返され、かつ前記簡易番号が前記予め規定された複数の繰り返し回数と前記制御情報を繰り返した回数の差違に応じて挿入されたバースト信号を受信するステップと、
前記受信したバースト信号から、前記制御情報と前記簡易番号に対応したヘッダ情報を抽出するステップと、
前記抽出したヘッダ情報に対して、前記予め規定された複数の繰り返し回数に応じた処理を行って制御情報と簡易番号を導出するステップと、
前記導出した簡易番号が自らの簡易番号に該当すれば、前記導出した制御情報にもとづいてデータの処理内容を決定するステップと、
前記決定したデータの処理内容に応じて、前記データを処理するステップと、
を備えることを特徴とする受信方法。
【発明の詳細な説明】
【技術分野】
【０００１】
本発明は、送信技術および受信技術に関し、特に送信装置から受信装置に伝送される信号に含まれたヘッダ情報を処理する送信方法および装置ならびに受信方法および装置に関する。
【背景技術】
【０００２】
基地局装置と複数の端末装置で構成される無線通信システムにおいて、例えば、基地局装置は、所定の期間で規定されたフレームを複数のタイムスロットに分割し、分割した複数のタイムスロットに複数の端末装置をそれぞれ割り当て、複数の端末装置との間で信号をそれぞれ伝送している。このような無線通信システムの基地局装置から端末装置に伝送される信号は、端末装置を識別するための識別符号（以下、「識別番号」という）とデータ信号を含んで構成されている。端末装置は、基地局装置から送信される信号を受信し、受信した信号に含まれた識別番号を抽出し、抽出した識別番号が自らの識別番号であった場合に受信した信号に含まれたデータ信号を処理する（例えば、特許文献１参照。）。
【特許文献１】特開平５−７５５２３号公報
【発明の開示】
【発明が解決しようとする課題】
【０００３】
一般的に、タイムスロットのようなバースト信号のうちの先頭部分に配置された制御情報はヘッダ情報とよばれ、ヘッダ情報に続くデータはペイロードとよばれている。受信装置が、受信したバースト信号に含まれたヘッダ情報の内容にもとづいてペイロードを処理する場合、処理遅延の観点から、ヘッダ情報は迅速に処理できる方がよい。一方、ペイロードにはそのような制約がないので、例えばヘッダ情報よりも処理の複雑な誤り訂正処理を施して、信頼性をより高めることが可能である。このような場合、前述した識別番号は通信の対象を特定するための重要なデータであるので、信頼性の高いペイロードに含めることが望ましい。
【０００４】
しかしながら、識別番号がペイロードに含まれおり、かつペイロード全体に誤り訂正処理が施されていれば、受信装置は、受信したペイロードをすべて復調および復号してからでなければ識別番号を抽出できない。そのため、フレーム内のすべてのバースト信号に対してそのような処理が必要になり、その結果、受信動作の効率が悪化し、消費電力も高くなってしまう。これは、基地局装置から端末装置に、端末装置への着信を通知する信号がペイロードに含まれている場合も同様である。一般的に、通信対象のデータがない場合に、端末装置は部分的に動作を停止している（以下、「省電力モード」という）が、端末装置への着信を通知する信号がペイロードに含まれていれば当該信号を抽出するために、端末装置は絶えず受信処理を行わなければならず、省電力モードでの動作が困難になる。
【０００５】
一方、以上のようなペイロードに端末装置への着信を通知する信号や識別番号が含まれうような無線通信システムに対応した基地局装置や端末装置が既に稼動してれば、前述した受信動作の効率や消費電力の課題を解決するに当たって、既に稼動している基地局装置や端末装置を考慮する必要がある。すなわち、ペイロードに含まれた端末装置への着信を通知する信号や識別番号を除去してしまえば、例え消費電力の課題を解決できたとしても、これらの基地局装置や端末装置で通信できなくなってしまう。
【０００６】
本発明はこうした状況に鑑みてなされたものであり、その目的は、バースト信号がヘッダ情報とペイロードによって構成されており、受信動作に必要な情報がバースト信号だけでなくペイロードに含まれている場合であっても、受信動作の効率を向上させる送信方法および装置ならびに受信方法および装置を提供することにある。
【課題を解決するための手段】
【０００７】
本発明のある態様は、送信装置である。この装置は、所定の受信装置に送信すべきデータを入力するデータ入力部と、入力したデータに対応した制御情報を入力する制御情報入力部と、入力したデータに含まれた受信装置の識別番号とは別に受信装置を識別するための簡易番号であって、識別番号より簡易な簡易番号を付与する簡易番号付与部と、入力した制御情報を予め規定された複数の繰り返し回数よりも少ない回数だけ繰り返してヘッダ情報を生成するヘッダ情報生成部と、予め規定された複数の繰り返し回数と制御情報を繰り返した回数との差違に応じて、生成したヘッダ情報に付与した簡易番号を挿入する簡易番号挿入部と、簡易番号を挿入したヘッダ情報と入力したデータにもとづいて、バースト信号を生成するバースト信号生成部と、生成したバースト信号を受信装置に送信する送信部とを備える。
以上の装置により、予め規定された複数の回数だけ制御情報を繰り返して生成するヘッダ情報に、繰り返し回数の一部の回数として簡易番号を挿入し、かつ簡易番号で受信装置を識別できるために、ヘッダ情報のデータサイズを維持しながら、簡易番号を受信装置に送信できる。
【０００８】
複数の受信装置にそれぞれ送信すべきデータは、送信する際の単位時間当たりの伝送レートを可変に設定可能であり、複数の受信装置にそれぞれ送信すべきデータの単位時間当たりの伝送レートに応じて、複数の受信装置を分類すべき複数のグループを予め規定しており、かつ複数のグループのそれぞれで割り当て可能な複数の簡易番号に対応したグループの番号に関する情報を予め記憶する記憶部と、所定の受信装置に送信すべきデータの単位時間当たりの伝送レートにもとづいて、受信装置にグループの番号を割り当てる割当部とをさらに備え、簡易番号付与部は、記憶した情報にもとづいて、割り当てたグループの番号に対応した複数の簡易番号のうちのいずれかを受信装置に付与してもよい。
【０００９】
制御情報入力部に入力した制御情報は、複数のビットによって構成されており、簡易番号付与部で付与した簡易番号は、複数のビットによって構成されており、ヘッダ情報生成部は、制御情報を構成した複数のビットのそれぞれを予め規定された複数の繰り返し回数よりも少ない回数だけ繰り返し、簡易番号挿入部は、制御情報を構成した複数のビットのそれぞれをひとつの単位としたブロックに対して、繰り返し回数が、予め規定された複数の繰り返し回数よりも少ない回数から、予め規定された複数の繰り返し回数になるまで、制御情報を構成した複数のビットのそれぞれの代わりに、簡易番号を構成した複数のビットを変換したそれぞれの値を分割しつつ挿入し、簡易番号を構成した複数のビットを変換したそれぞれの値は、ブロックのそれぞれの平均値が制御情報を構成した複数のビットのそれぞれの値に近くなるように生成されてもよい。
【００１０】
「ブロック」は、ひとつのビットを所定の回数繰り返す場合に、ひとつのビットから生成される複数のビットの集合をひとつとした単位である。なお、変形例として、ひとつのビットは同一の値でなくてもよく、例えば８回繰り返すことが規定されている場合に、６回だけ繰り返して残りの２回に相当するビットを他のデータで補充しても、本来規定された８回繰り返されべきビットをひとつのブロックとしてもよい。
【００１１】
簡易番号挿入部は、簡易番号を構成した複数のビットのそれぞれから、当該それぞれの値を反転した値と当該それぞれの値を組合せた値に変換してもよい。データ入力部は、複数の受信装置にそれぞれ送信すべきデータを入力し、簡易番号付与部は、入力したデータをそれぞれ送信すべき複数の受信装置に対して、複数の簡易番号をそれぞれ付与し、簡易番号挿入部は、生成したヘッダ情報に付与した複数の簡易番号をそれぞれ挿入し、バースト信号生成部は、複数の簡易番号をそれぞれ挿入したヘッダ情報と入力したデータにもとづいて、ひとつのバースト信号を生成してもよい。
【００１２】
簡易番号挿入部は、生成したヘッダ情報に付与した複数の簡易番号をそれぞれ挿入する際に、挿入されるべき複数の簡易番号を所定の規則性にもとづいて並べてもよい。データ入力部に入力した複数の受信装置にそれぞれ送信すべきデータは、送信する際の単位時間当たりの伝送レートを可変に設定可能であり、バースト信号生成部は、複数の受信装置にそれぞれ送信すべきデータの単位時間当たりの伝送レートが同一である場合に、複数の受信装置にそれぞれ送信すべきデータをひとつのバースト信号に含めてもよい。
【００１３】
本発明の別の態様は、送信方法である。この方法は、所定の受信装置に送信すべきデータと、データに対応した制御情報を入力するとともに、データに含まれた受信装置の識別番号とは別に受信装置を識別するための簡易番号であって、識別番号より簡易な簡易番号を付与し、入力した制御情報を予め規定された複数の繰り返し回数よりも少ない回数だけ繰り返してヘッダ情報を生成しつつ、予め規定された複数の繰り返し回数と制御情報を繰り返した回数との差違に応じて、生成したヘッダ情報に付与した簡易番号を挿入し、簡易番号を挿入したヘッダ情報と入力したデータにもとづいて、バースト信号を生成する。
【００１４】
本発明のさらに別の態様は、受信装置である。この装置は、データと、データに対応した制御情報と、データに含まれた受信装置の識別番号とは別に受信装置を識別するための簡易な簡易番号によって構成されたバースト信号であって、制御情報が予め規定された複数の繰り返し回数よりも少ない回数だけ繰り返され、かつ簡易番号が予め規定された複数の繰り返し回数と制御情報を繰り返した回数の差違に応じて挿入されたバースト信号を受信する受信部と、受信したバースト信号から、制御情報と簡易番号に対応したヘッダ情報を抽出する抽出部と、抽出したヘッダ情報に対して、予め規定された複数の繰り返し回数に応じた処理を行って制御情報と簡易番号を導出する導出部と、導出した簡易番号が自らの簡易番号に該当すれば、導出した制御情報にもとづいてデータの処理内容を決定する決定部と、決定したデータの処理内容に応じて、データを処理する処理部とを備える。
【００１５】
以上の装置により、バースト信号のデータを処理する前に、バースト信号のヘッダ情報を処理し、ヘッダ情報に含まれた付加情報にもとづいて、制御情報とデータの処理内容を決定するので、データの処理がデ不要な場合にデータの処理を防止できて、受信動作の効率を向上できる。
【００１６】
受信部で受信したバースト信号に含まれた制御情報は複数のビットで構成され、制御情報を構成した複数のビットのそれぞれをひとつの単位にしたブロックの内部で、制御情報を構成した複数のビットのそれぞれが予め規定された複数の繰り返し回数よりも少ない回数だけ繰り返されており、かつ簡易番号は複数のビットで構成され、簡易番号を構成した複数のビットを変換したそれぞれの値がそれぞれのブロックに挿入されており、導出部は、抽出したヘッダ情報に含まれたブロックのそれぞれに対して、予め規定された複数の繰り返し回数だけブロックの内部で加算処理を行って制御情報を導出し、かつ簡易番号を構成した複数のビットのそれぞれに対してなされた変換が、ブロックのそれぞれの平均値が制御信号を構成した複数のビットのそれぞれの値に近くなる規則性にもとづくことを利用して、ブロックのそれぞれから簡易番号を導出してもよい。
【００１７】
「予め規定された複数の繰り返し回数だけブロックの内部で加算処理を行って」は、ひとつのブロックに含まれた複数のデータを加算することであり、さらに加算処理だけでなく加算処理にもとづいた所定の統計処理、例えば、平均処理であってもよいものとする。
【００１８】
導出部は、簡易番号を構成した複数のビットのそれぞれに対してなされた変換が、簡易番号を構成した複数のビットのそれぞれから、当該それぞれの値を反転した値と当該それぞれの値を組合せた値への変換であることを利用して、ブロックのそれぞれから簡易番号を導出してもよい。決定部は、導出部が複数の簡易番号を導出した場合に、導出した複数の簡易番号のいずれかが自らの簡易番号に該当すれば、導出した制御信号にもとづいてデータの処理内容を決定してもよい。処理部は、処理したデータから抽出した識別番号が自らの識別番号に該当しなければ、処理したデータを破棄してもよい。
【００１９】
本発明のさらに別の態様は、受信方法である。この方法は、データと、データに対応した制御情報と、データに含まれた受信装置の識別番号とは別に受信装置を識別するための簡易な簡易番号によって構成されたバースト信号であって、制御情報が予め規定された複数の繰り返し回数よりも少ない回数だけ繰り返され、かつ簡易番号が予め規定された複数の繰り返し回数と制御情報を繰り返した回数の差違に応じて挿入されたバースト信号を受信するステップと、受信したバースト信号から、制御情報と簡易番号に対応したヘッダ情報を抽出するステップと、抽出したヘッダ情報に対して、予め規定された複数の繰り返し回数に応じた処理を行って制御情報と簡易番号を導出するステップと、導出した簡易番号が自らの簡易番号に該当すれば、導出した制御情報にもとづいてデータの処理内容を決定するステップと、決定したデータの処理内容に応じて、データを処理するステップとを備える。
【００２０】
なお、以上の構成要素の任意の組合せ、本発明の表現を方法、装置、システム、記録媒体、コンピュータプログラムなどの間で変換したものもまた、本発明の態様として有効である。
【発明の効果】
【００２１】
本発明によれば、バースト信号がヘッダ情報とペイロードによって構成されており、受信動作に必要な情報がバースト信号だけでなくペイロードに含まれている場合であっても、受信動作の効率を向上できる。
【発明を実施するための最良の形態】
【００２２】
（実施例１）
本発明を具体的に説明する前に、概要を述べる。本発明の実施例１は、複数の端末装置が基地局装置と通信する無線通信システムに関する。ここでは、無線通信システムとしてＷＬＬ（Ｗｉｒｅｌｅｓｓ  Ｌｏｃａｌ  Ｌｏｏｐ）システムを対象にする。実施例１に係る基地局装置は、端末装置に音声通信サービスとデータ通信サービスを提供するために、有線ネットワークとして音声通信サービス用のＰＳＴＮネットワークとデータ通信サービス用のインターネットに接続されている。基地局装置は、音声通信サービスについて伝送レートよりも遅延時間が重要であることを考慮して、音声通信サービスを提供すべき複数の端末装置をＣＤＭＡにもとづいて多重化し、さらに、ひとつの端末装置に対して上下回線が同一の伝送レートのチャネルを定常的に割り当てる。
【００２３】
一方、データ通信サービスは音声通信サービスと異なって、一般的に上り回線のチャネルよりも下り回線のチャネルの方が高速の伝送レートを必要とし、さらに、データ通信サービスにおけるデータがランダムに発生する。基地局装置は、このようなデータ通信サービスにおける特性を利用して、データ通信サービスでの下り回線に対して、ひとつの拡散符号を有し、かつ所定の期間で規定されるフレームを複数のチャネルに時間的に分割して、それぞれのチャネルを伝送すべきデータが発生している端末装置に割り当てる（以下、このようにデータ通信のために時分割で割り当てたチャネルで伝送される信号を「バースト信号」という）。このように、下り回線のひとつのフレームを複数の端末装置で共有することによって、トータルの伝送容量を大きくしている。なお、ここでは、データ通信サービスでの上り回線のチャネルは考慮しないものとする。さらに、基地局装置は、データだけでなく例えば着信の通知を示した信号（以下、「着信情報」という）もバースト信号によって端末装置に伝送する。
【００２４】
バースト信号は、先頭部分のヘッダ情報と、それに続くペイロードで構成される。ペイロードでの単位時間当たりの伝送レートとペイロードに含まれたデータ長は可変であるので、ヘッダ情報は伝送レートの情報とデータ長の情報を含んで、これらをペイロードに先立って端末装置に通知する機能を有する。なお、これら以外の制御情報、例えば、データの通信対象となる端末装置の識別番号および着信情報は、データと共にペイロードに含まれるものとする。そのため、端末装置は、自分宛のデータを受信するため、および音声通信サービスにおける着信情報を受信するために、絶えず下り回線のバースト信号をすべて受信してその内容を確認しなければならず、受信動作の効率が低下する。
【００２５】
ヘッダ情報は、前述した伝送レートの情報とデータ長の情報を構成した複数のビットを予め規定された回数まで繰り返して生成される。例えば、もとの情報が「０」「１」であれば、「００００００００」「１１１１１１１１」のようにそれぞれ８回繰り返す（ここで、もとの情報におけるひとつのビットを「ブロック」という）。ここでは、誤り訂正処理を行ったもとの情報のビット数が「３０」であるので、それらを８回繰り返したヘッダ情報は「２４０」ビットになる。一方、端末装置では受信した信号のヘッダ情報のそれぞれのビットを８回加算してもとの情報を抽出する。例えば、「１」が８回連続して入力されれば加算結果「２４」を導き、「０」が８回連続して入力されれば加算結果「０」を導き、それぞれから「１」あるいは「０」を抽出する。
【００２６】
これをさらに具体的に説明すると、もとの情報「０」は「＋１」値に変換され、もとの情報「１」は「−１」値に変換されて送信される。もとの情報が「１」である場合に、前述の「−１」値を８回反復したヘッダ情報が送信されるので、受信において一般的に、「−１」値が８回連続で受信される。受信した値を加算した結果は「−８」となり、受信結果がマイナス符号であるので送信されたもとの情報を「１」と判定できる。一方、伝送路でノイズが重畳した場合、ヘッダ情報の各ビットに対応した受信信号のレベルが変動するので、ひとつのもとの情報を変換した８ビットのうち、一部のビットの符号が反転する場合もある。しかしながら、受信では８ビットの値を加算するので、符号が反転したビットの影響が小さくなって、加算結果がマイナスとなり、もとの情報を「１」と正しく判定できる。
【００２７】
本実施例に係る基地局装置は、ヘッダ情報を生成する際にひとつのブロックにおけるビットの繰返し回数を「８」回から「６」回に減らし、残った「２」回に着信情報を挿入する。すなわち、ヘッダ情報全体では、全体のビットの数「２４０」からヘッダ情報を生成するために既に生成したビットの数「１８０」を引いた「６０」ビットの着信情報を挿入する。その際、すでに稼動している端末装置に受信した信号から正確な処理をさせるために、着信情報として着信の有無を「０１」あるいは「１０」のような、互いに反転させた関係のビット値を組み合わせて定義する。このように定義した着信情報をブロックに挿入することによって、ブロックあたりのビット値の平均値は、ビット繰返し回数を「８」回とした場合に近くなるので、稼動している端末装置で正確な処理が可能になる。さらに、本実施例に係る端末装置は、ヘッダ情報から着信情報を抽出できるので、ヘッダ情報での着信情報が着信なしを示していれば、ペイロードを受信する必要がないので、受信動作の効率を向上できる。
【００２８】
図１は、実施例１に係る通信システム１００の構成を示す。通信システム１００は、端末装置１０と総称される第１端末装置１０ａ、第２端末装置１０ｂ、基地局装置１４、ＰＳＴＮゲートウエイ１８、ＰＳＴＮネットワーク２２、インターネットゲートウエイ２０、インターネット２４を含み、第１端末装置１０ａは、第１端末用アンテナ１２ａを含み、第２端末装置１０ｂは、第２端末用アンテナ１２ｂを含む。また、第１端末用アンテナ１２ａと第２端末用アンテナ１２ｂは、端末用アンテナ１２と総称される。
【００２９】
端末装置１０は、端末用アンテナ１２を介して基地局装置１４に接続する。ここでは、前述のごとくＷＬＬシステムを対象にしているので、端末装置１０としてＳＴＢ（Ｓｅｔ  Ｔｏｐ  Ｂｏｘ）のような形態を想定する。端末装置１０は、基地局装置１４に接続して音声通信サービスやデータ通信サービスの提供を受ける。
【００３０】
基地局装置１４は、基地局用アンテナ１６を介して端末装置１０と無線通信を行い、端末装置１０に音声通信サービスやデータ通信サービスを提供する。音声通信サービスのために、ＰＳＴＮゲートウエイ１８を介してＰＳＴＮネットワーク２２に接続し、データ通信サービスのために、インターネットゲートウエイ２０を介してインターネット２４に接続する。基地局装置１４は、端末装置１０に対して音声通信サービスとデータ通信サービスの独立した無線チャネルを割り当てる。基地局装置１４は、音声通信サービスのために、ひとつの端末装置１０に対して、上下回線が同一の伝送レートを有した無線チャネルを割り当て、それらの無線チャネルは定期的に割り当てられているものとする。さらに、基地局装置１４は、複数の端末装置１０をＣＤＭＡによって多重化している。
【００３１】
一方、データ通信サービスは、一般的に下り回線の伝送レートが上り回線の伝送レートより高速な伝送レートを必要とするので、データ通信サービスに対して下り回線のみを説明するものとする。上り回線は、説明を省略するが任意の方法で下り回線よりも低い伝送レートでデータを伝送しているものとする。基地局装置１４は、下り回線のデータ通信サービス（以下、下り回線のデータ通信サービスも「データ通信サービス」というが、これと上り回線を含めた場合の「データ通信サービス」を区別せずに使用するものとする。）のために、ひとつの拡散符号を割り当て、所定の期間で定義されたフレームを複数のバースト信号に分割し、分割したバースト信号を複数の端末装置１０にそれぞれ割り当てるものとする。そのため、バースト信号がデータ通信サービスのための無線チャネルに相当する。
【００３２】
すなわち、データ通信サービスにおいては、音声通信サービスと異なって、ひとつの端末装置１０に対して定期的にバースト信号を割り当てず、データの伝送を必要とした端末装置１０に対してバースト信号を適宜割り当てることによって、ひとつのフレームを複数の端末装置１０で共有する。そのため、ひとつの端末装置１０がデータの伝送を必要としなければ、基地局装置１４は他の端末装置１０にバースト信号を割り当てて、データを伝送できるので、フレームを有効に利用でき、トータルのデータ伝送容量を向上できる。なお、ここでは、データ通信サービスのために３つの拡散符号を使用しているので、前述のフレームは並行して３つ設けられて、ＣＤＭＡによって多重化されている。なお、これらの３つのフレームは互いに独立であるので、以下ひとつのフレーム、すなわちひとつの拡散符号が割り当てられたフレームのみを説明する。
【００３３】
なお、図示以外に他の基地局装置１４が設けられていてもよく、さらにこれらのサービスを提供するために認証サーバや課金サーバ等が設けられていてもよいが、説明の簡略化のために省略する。
【００３４】
図２は、通信システム１００でのチャネルの遷移を示す。ここでは、本実施例の説明に必要な無線チャネルのみを説明する。基地局装置１４は、下り回線で報知チャネルを報知する（Ｓ１０）。報知チャネルは、基地局装置１４に関する情報を含み、端末装置１０は報知チャネルを受信することによって、接続可能な基地局装置１４の存在を認識する。基地局装置１４に接続を要求する端末装置１０、すなわち音声通信やデータ通信の実行を要求する端末装置１０は、基地局装置１４に対して上り回線でランダムアクセスチャネルを送信する（Ｓ１２）。端末装置１０からのランダムアクセスチャネルを受信した基地局装置１４は、接続を要求する端末装置１０の存在を確認する。しかしながら、ランダムアクセスチャネルは、基地局装置１４に対して接続を要求する複数の端末装置１０が送信するので、これらの複数の端末装置１０が送信するタイミングが同時になる場合もあり、そのような場合に基地局装置１４に正確に受信されない。かかる場合に、端末装置１０は、再びランダムアクセスチャネルを送信する。
【００３５】
基地局装置１４は、端末装置１０からランダムアクセスチャネルを受信し、当該端末装置１０の接続を決定した場合、すなわち、端末装置１０とのデータ通信あるいは音声通信を決定した場合、下り回線で獲得表示チャネルを送信する（Ｓ１４）。獲得表示チャネルを受信した端末装置１０は、基地局装置１４との間で音声通信あるいはデータ通信を行うための所定の制御信号を送受信するが、ここでは説明を省略する。端末装置１０が基地局装置１４との間でデータ通信を実行する場合、基地局装置１４は端末装置１０に下り回線のデータチャネルを送信する（Ｓ１６）。データチャネルは、前述のバースト信号に相当し、定期的に送信されるのではなく、送信すべきデータの発生など必要に応じて送信される。一方、端末装置１０が基地局装置１４との間で音声通信を実行する場合、基地局装置１４は端末装置１０に上下回線の通話チャネルを割り当てる（Ｓ１６）。通話チャネルは、端末装置１０と基地局装置１４の間で定期的に音声データを伝送する。
【００３６】
なお本実施例において、データチャネルは、データ通信だけでなく音声通信での所定の制御信号も送信される。所定の制御信号の一例は、着信情報であり、基地局装置１４との間で通話チャネルを接続していない端末装置１０は、データチャネルで着信を通知されると、基地局装置１４に対してランダムアクセスチャネルを送信し、前述のごとく、基地局装置１４との間の通話チャネルの設定を要求する。このように、データチャネルと通話チャネルも所定の関係を有する。
【００３７】
図３（ａ）は、フレームフォーマットの構成を示す。ひとつのフレームは１０ｍｓｅｃで形成されており、さらに８つのバースト信号に分割されている。ここでは、これらを第１バースト信号から第８バースト信号とよび、それぞれが所定の端末装置１０に対して送信される。また、フレームは、基地局装置１４から連続的に送信されており、所定のフレームに続いて次に配置されたフレームが送信される。図３（ｂ）は、バーストフォーマットの構成を示す。バースト信号は、先頭部分にヘッダ情報を配置し、それに続いてペイロードを配置する。ヘッダ情報は１２０シンボルであるが、変調方式にＱＰＳＫ（Ｑｕａｄｒａｔｕｒｅ  Ｐｈａｓｅ  Ｓｈｉｆｔ  Ｋｅｙｉｎｇ）を使用するので２４０ビットの信号を伝送可能である。
【００３８】
ペイロードは、１０８０シンボルである。変調方式は、ＱＰＳＫ、１６ＱＡＭ（Ｑｕａｄｒａｔｕｒｅ  Ａｍｐｌｉｔｕｄｅ  Ｍｏｄｕｌａｔｉｏｎ）、６４ＱＡＭのうちのいずれかが選択され、さらに誤り訂正処理も行われるが、その符号化率も可変であるので、伝送可能なビット数は適宜変更する。ペイロードに含まれたデータには、通信対象の端末装置１０に対応した識別番号等の情報も含まれている。そのため、端末装置１０は、原則としてすべてのバースト信号に含まれたペイロードを復調しなければ、当該データのあて先を確認できない。また、ペイロードに含まれたデータは、ひとつの端末装置１０に対するデータだけでなく、複数の端末装置１０に対するデータであってもよい。すなわち、複数の端末装置１０によってひとつのペイロードが共有されてもよいが、そのようなスケジューリングは基地局装置１４によってなされるものとする。以上のように、ペイロードは、変調方式と符号化率（以下、これらを統合して「伝送レート」という）、データ長がバースト信号単位で変更される。一般的に、そのようなペイロードを受信した端末装置は、ペイロードに対する伝送レートとデータ長を認識していなければ、データを復調できないので、ヘッダ情報には、それらの情報が含められている。
【００３９】
図４（ａ）−（ｃ）は、実施例１の前提となる通信システムのヘッダ情報の生成過程を示す。図４（ａ）は、ヘッダ情報の基礎となる制御情報であり、１０ビットの情報を示す。当該制御情報には前述のごとく、伝送レートに関する情報とデータ長に関する情報がそれぞれ含まれているが、それらはそれぞれ５ビットずつ割り当てられている。図４（ｂ）は、図４（ａ）の基礎となる制御情報をＲｅｅｄ−Ｍｕｌｌｅｒ変換しており、１０ビットの制御情報が３０ビットに拡張されている。
【００４０】
図４（ｃ）は、Ｒｅｅｄ−Ｍｕｌｌｅｒ変換したデータのそれぞれを予め定められた回数の８回繰り返して生成したヘッダ情報を示す。図４（ｂ）のＲｅｅｄ−Ｍｕｌｌｅｒ変換したデータ３０ビットのうちの１ビット「ａ」を８回繰り返して図４（ｃ）の「１」から「８」を生成するが、前述のごとくこの単位をブロックという。以上の処理の結果、２４０ビットのヘッダ情報が生成される。ヘッダ情報を受信した端末装置では、これらと逆の処理を行って基礎となる制御情報を抽出する。すなわち、ヘッダ情報のうちのひとつのブロック単位に加算を行い、８ビットのデータの和を導出する。さらに、導出した和を所定のしきい値と比較して硬判定し、硬判定した結果をＲｅｅｄ−Ｍｕｌｌｅｒ逆変換して制御情報を導出する。なお、前述の硬判定は軟判定であってもよい。
【００４１】
図５は、通信システム１００における送信部３０の構成を示す。ここでは、下り回線のデータチャネルを説明の対象にするので、図５の送信部３０は、図１の基地局装置１４に含まれているものとする。送信部３０は、インターフェース部３２、符号化部３４、変調部３６、信号生成部３８、拡散部４０、無線部４２、伝送レート制御部４４、データ長取得部４６、ヘッダ生成部４８、着信通知部５０、制御部５２を含む。
【００４２】
インターフェース部３２は、送信すべきデータ、当該データに対応した制御情報、通信対象の端末装置１０への着信情報を入力する。入力したこれらの信号は、符号化部３４、伝送レート制御部４４、データ長取得部４６、着信通知部５０に出力する。符号化部３４は、インターフェース部３２から受け付けたデータを誤り訂正符号化する。インターフェース部３２から受け付けたデータは、図３（ｂ）のバースト信号中のペイロードに格納されるべきものである。ここでは、誤り訂正符号としてＴｕｒｂｏ符号を想定するが、これ以外の畳み込み符号化等であってもよい。また、Ｔｕｒｂｏ符号の符号化率は後述の伝送レート制御部４４から指定されるものとし、指定された符号化率、例えばＲ＝１／３などにもとづいて符号化を実行する。
【００４３】
変調部３６は、誤り訂正符号化されたデータを変調する。変調方式は、前述のごとく、ＱＰＳＫ、１６ＱＡＭ、６４ＱＡＭのいずれかを伝送レート制御部４４からの指示にもとづいて選択する。伝送レート制御部４４は、インターフェース部３２から制御情報のうち伝送レートに関する情報を受け付け、当該情報にもとづいて、符号化部３４に符号化率を指示し、変調部３６に変調方式を指示する。なお受け付けた伝送レートに関する情報はヘッダ生成部４８に出力する。なお、伝送レートに関する情報は、前述のごとく５ビットである。データ長取得部４６は、インターフェース部３２から制御情報のうちのデータ長に関する情報を受付け、ヘッダ生成部４８に出力する。なお、データ長に関する情報は、前述のごとく５ビットである。
【００４４】
着信通知部５０は、インターフェース部３２から着信情報を受け付け、ヘッダ生成部４８に出力する。着信情報は１ビットで示され、着信ありを「１」、着信なしを「０」で示すものとする。ここで、着信情報が着信ありを示す場合、対応した符号化部３４で処理されるべきデータには着信に対応した端末装置１０の識別番号が含まれているものとする。ヘッダ生成部４８は、伝送レート制御部４４から伝送レートに関する情報を受け付け、データ長取得部４６からデータ長に関する情報を受け付け、着信通知部５０から着信情報を受け付ける。さらに、これらにもとづて、図３（ｂ）のバースト信号に含まれたヘッダ情報を生成する。図６（ａ）−（ｃ）は、ヘッダ生成部４８におけるヘッダ情報の生成過程を示す。図６（ａ）は、図４（ｂ）と同一であり、伝送レート制御部４４とデータ長取得部４６からそれぞれ受け付けた伝送レートに関する情報とデータ長に関する情報の１０ビットをＲｅｅｄ−Ｍｕｌｌｅｒ変換したデータであり、３０ビットのデータである。
【００４５】
図６（ｂ）を飛ばして、図６（ｃ）は、着信通知部５０から受け付けた着信情報を変換したデータを示す。ここでは、着信情報のうち着信ありを示す「１」を「１０」に変換し、着信なしを示す「０」を「０１」に変換する。すなわち、入力したビットの値から、入力したビットの値と当該入力したビットの値を反転した値を組合せた値に変換する。このような規則で変換する理由については、後述する。
【００４６】
図６（ｂ）は、ヘッダ生成部４８で生成したヘッダ情報を示す。Ｒｅｅｄ−Ｍｕｌｌｅｒ変換したデータのそれぞれの値を図４の説明のごとく繰り返すが、繰り返し回数が予め規定された繰り返し回数の８回より少ない６回であるとする。すなわち、図６（ａ）の１ビット「ａ」が６回繰り返されて、図６（ｂ）の「１」から「６」に変換される。予め規定された繰り返し回数が８回であるので、ひとつのブロックは８ビットで構成されるべきであるが、ここでは繰り返し回数を６回にしたため、２ビットが埋まっていない状態である。さらにヘッダ情報は３０ブロックで構成されるので、全体で６０ビットが埋まっていない状態である。
【００４７】
そこで、図６（ｂ）に記載のごとく、変換した着信情報の２ビットをひとつのブロックに挿入し、さらに３０ブロックに対して同一の値を挿入する。ここで、変換した着信情報が「１０」あるいは「０１」であるので、ブロックの平均値は、これに対応したＲｅｅｄ−Ｍｕｌｌｅｒ変換したデータのそれぞれの値に等しくなる。すなわち、Ｒｅｅｄ−Ｍｕｌｌｅｒ変換したデータのひとつの値が「１」の場合に、６回繰り返した値は「１１１１１１」になる。さらにこのブロックに「１０」あるいは「０１」を挿入しても、ブロックの平均値はＲｅｅｄ−Ｍｕｌｌｅｒ変換したデータのひとつの値「１」に近くなる。すなわち、「１１」を挿入した場合の平均値は「１」であるが、「００」になる可能性もあり、その場合に平均値が「０．７５」になる。一方、本実施例のように「１０」あるいは「０１」を挿入すれば平均値は「０．８７５」になって、よりひとつの値「１」に近くなる。着信情報の変換は、既に稼動している端末装置、すなわち図４（ｃ）に示したヘッダ情報を処理するように設計された端末装置においても正確に処理できるように規定している。
【００４８】
すなわち、変換した着信情報として「１０」あるいは「０1」を挿入した場合、これらの値は前述のごとく「−１、＋１」あるいは「＋１、−１」に変換されてから送信される。したがって、受信において、受信した値を８回加算した場合、前記挿入した値、すなわち「−１、＋１」あるいは「＋１、−１」は互いに相殺される。その結果、残り６ビットの加算結果に対して、符号を反転させるほどの影響が及ぼされていないと考えられるので、残りの６ビットの加算結果の符号値に基づいて正しく復号できる。このように変換すれば、ブロックの平均値は、Ｒｅｅｄ−Ｍｕｌｌｅｒ変換したデータのひとつの値に等しくなる。
【００４９】
図５に戻る。さらに、ヘッダ生成部４８は、図６（ｂ）のごとく生成したヘッダ情報をＱＰＳＫ変調する。信号生成部３８は、変調部３６から入力した信号とヘッダ生成部４８から入力したヘッダ情報にもとづいて、バースト信号を生成する。すなわち、ヘッダ情報を先頭部分に配置して、それに続いて変調部３６から入力した信号であるペイロードを配置する。拡散部４０は、バースト信号を拡散し、無線部４２は、拡散した信号をＤＡ変換、直交変調、周波数変換、増幅処理してから、無線信号として基地局用アンテナ１６を介して出力する。制御部５２は、送信部３０のタイミング等を制御する。
【００５０】
この構成は、ハードウエア的には、任意のコンピュータのＣＰＵ、メモリ、その他のＬＳＩで実現でき、ソフトウエア的にはメモリのロードされた予約管理機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００５１】
図７は、通信システム１００における受信部６０の構成を示す。ここでも、下り回線のデータチャネルを説明の対象にするので、図７の受信部６０は、図１の端末装置１０に含まれているものとする。受信部６０は、無線部６２、逆拡散部６４、抽出部６６、復調部６８、復号部７０、インターフェース部７２、制御情報導出部７４、伝送レート制御部７６、データ長取得部７８、決定部８０、制御部８２を含む。
【００５２】
無線部６２は、第１端末用アンテナ１２ａを介して図示しない基地局装置１４から送信されたバースト信号を受信する。受信したバースト信号は、図５の送信部３０で生成されたものである。なお、ここで、受信部６０は、データ通信を実行しておらず、音声通信のための着信を待ち受けている状態にあるものとする。逆拡散部６４は、受信したバースト信号を逆拡散する。抽出部６６は、逆拡散したバースト信号からヘッダ情報を抽出して、制御情報導出部７４に出力する。なお、バースト信号のうちのペイロードは復調部６８に出力する。
【００５３】
制御情報導出部７４は、抽出部６６で抽出したヘッダ情報に含まれたブロックのそれぞれに対して、予め規定された繰り返し回数の８回だけブロックの内部で加算処理を行ってＲｅｅｄ−Ｍｕｌｌｅｒ変換された制御情報を導出する。すなわち、前述のごとく、ひとつのブロックは８ビットのデータを含んでいるので、これらの総和を計算し、予め規定したしきい値と比較して、Ｒｅｅｄ−Ｍｕｌｌｅｒ変換された制御情報のうちのひとつのビットを導出する。ヘッダ情報は、３０ブロックで構成されているので、３０ビットの信号が導出される。さらに、導出した３０ビットの信号に対してＲｅｅｄ−Ｍｕｌｌｅｒ逆変換を実行して、制御情報を導出して出力する。
【００５４】
決定部８０は、抽出部６６で抽出したヘッダ情報に含まれたブロックの中から、変換した２ビットの着信情報を抽出し、さらにヘッダ情報に含まれた３０ブロックのそれぞれに対して同様の処理を行って、最終的に６０ビットの着信情報を抽出する。さらに、前述した送信部３０における着信情報の１ビットから２ビットへの変換の規則に基づいて、これと逆の処理を行って１ビットの着信情報を導出する。例えば、着信情報の２ビットのうち、上位の値に対応した３０ビットの平均値を求め、平均値を予め定めたしきい値と比較して上位の値を決定し、着信情報の２ビットのうち、下位の値に対応した３０ビットの平均値を求め、平均値を予め定めたしきい値と比較して下位の値を決定する。
【００５５】
導出した１ビットの値が「１」であれば、前述のごとく着信ありを示しているので、バースト信号のペイロードの復調が必要になり、その実行を伝送レート制御部７６に対して指示する。一方、導出した１ビットの値が「０」であれば、前述のごとく着信なしを示しているので、バースト信号のペイロードの復調が不要であり、伝送レート制御部７６に対して実行を指示しない。
【００５６】
伝送レート制御部７６は、制御情報導出部７４で導出した制御情報のうち、伝送レートに関する情報を入力し、さらに決定部８０からの復調の指示を受け付けた場合に、ペイロードの変調方式を復調部６８に出力し、ペイロードの符号化率を復号部７０に出力する。復調部６８は、伝送レート制御部７６によって指示された変調方式の情報にもとづいて、ペイロードを復調する。復号部７０は、伝送レート制御部７６によって指示された符号化率の情報にもとづいて、復調したペイロードを復号する。データ長取得部７８は、制御情報導出部７４で導出した制御情報のうち、データ長に関する情報を入力し、さらに決定部８０からの復調の指示を受け付けた場合に、データ長に関する情報をインターフェース部７２に出力する。
【００５７】
インターフェース部７２は、復号部７０から復号したデータを受け付け、データ長取得部７８からデータ長に関する情報を受け付ける。インターフェース部７２は、復号したデータに含まれた識別情報等を確認し、データの送信先に該当すると判断すればデータを出力する。さらに、端末装置１０は、基地局装置１４から着信を通知されていると判断し、前述のごとく、基地局装置１４との間で通話チャネルを設定するための処理を実行する。一方、インターフェース部７２は、復号したデータに含まれた識別情報等を確認し、データの送信先に該当しないと判断すればデータを破棄する。制御部８２は、受信部６０のタイミング等を制御する。
【００５８】
図８は、受信処理の手順を示すフローチャートである。なお、受信部６０は、図７での説明と同様にデータ通信を実行しておらず、音声通信のための着信を待ち受けている状態にあるものとする。逆拡散部６４は、受信した信号を逆拡散する（Ｓ２０）。抽出部６６は、逆拡散した信号からヘッダ情報を抽出する（Ｓ２２）。制御情報導出部７４は、ヘッダ情報から制御情報と着信情報を抽出する（Ｓ２４）。決定部８０は、抽出した着信情報が着信ありを示している場合（Ｓ２６のＹ）、その旨を伝送レート制御部７６とデータ長取得部７８に通知する。通知があれば、復調部６８と復号部７０は、制御情報に含まれている伝送レートの情報にもとづいて、バースト信号に含まれたペイロード、すなわちデータを復調、復号する（Ｓ２８）。インターフェース部７２は、復号したデータに含まれた識別番号が自らの識別番号に該当する場合（Ｓ３０のＹ）、端末装置１０は、基地局装置１４との間で通話処理を開始する（Ｓ３２）。ここで、端末装置１０は、通話処理に先立って、基地局装置１４との間で通話チャネルの確立のための処理を実行する。一方、抽出した着信情報が着信ありを示していない場合（Ｓ２６のＮ）、復号したデータに含まれた識別番号が自らの識別番号に該当しない場合（Ｓ３０のＮ）、処理を終了する。
【００５９】
図９（ａ）−（ｂ）は、実施例１の前提となる通信システムと図８の手順によるフレームの処理の相違を示す。これらは、図７と図８での説明と同様にデータ通信を実行しておらず、音声通信のための着信を待ち受けている状態にあるものとする。図９（ａ）は、実施例１の前提となる通信システムでの受信処理を示す。図は繰り返して送信されるフレームを示しており、さらに図３で示したようにひとつのフレームは８つのバースト信号を含んでおり、バースト信号はヘッダ情報とペイロードによって構成される。着信情報および識別番号はペイロードに含まれており、それらはヘッダ情報だけでは確認できないので、受信装置は、フレームに含まれたすべてのバースト信号を構成したヘッダ情報とペイロードをすべて復調する。そのため、図９（ａ）の下側に示したように、受信装置は、繰り返して送信されるフレームのすべての区間で動作しなければならず、それによって、消費電力が増加する。
【００６０】
図９（ｂ）は、実施例１に係る受信部６０での受信処理を示す。ここでは、基地局装置１４は、１フレームに１度の着信情報を送信するものとする。前述のごとく、着信情報はヘッダ情報にも含まれているので、受信部６０は、１フレームに１度起動して、ヘッダ情報に含まれた着信情報が着信ありを示しているかを確認する。着信なしであれば、図９（ｂ）の下側に示したように、該当する１フレームの残りの部分にわたって動作を停止する。一方、着信ありであれば、受信部６０は、ペイロードを復調および復号して、復号したペイロードに含まれた識別番号を確認する。すなわち、図９（ｂ）の下側に示したように、少なくとも該当するバースト信号の区間において動作する。さらに、確認した識別番号が自らの識別番号に該当すれば、受信部６０を含んだ端末装置１０は、基地局装置１４との間で通話チャネルの確立のための処理を実行する。一方、確認した識別番号が自らの識別番号に該当しなければ、受信部６０を含んだ端末装置１０は再び省電力モードに戻る。このように、実施例１によれば、着信の確認のために必要な区間だけ動作すればよいので、消費電力を低減できる。
【００６１】
本発明の実施例によれば、バースト信号のヘッダ情報に着信情報を含めるので、受信装置は少なくともヘッダ情報に含まれた着信情報のみを確認するための動作を実行すればよく、受信動作の効率を向上できる。また、消費電力を低減できる。また、ヘッダ情報に挿入する着信情報は、所定回数繰り返す制御情報のそれぞれの平均値を変更しないような値に変換してから挿入するので、既に稼動している受信装置との互換性を維持できる。
【００６２】
（実施例２）
本発明の実施例２は、実施例１と同様に、複数の端末装置が基地局装置と通信する無線通信システム、特にＷＬＬシステムを対象にする。実施例１に係る基地局装置は、データチャネルにおけるバースト信号の構造を利用して、バースト信号のヘッダ情報に着信情報を挿入して端末装置に伝送した。さらに、ヘッダ情報に挿入する着信情報は、既に稼動している端末装置が当該バースト信号を受信した場合でも正確にヘッダ情報を処理できるような規則性に基づいて予め変換している。すなわち、以上のような処理によって、着信情報を待ち受けている端末装置は、省電力モードに移行できて消費電力を低減でき、さらに既に稼動しているＷＬＬシステムとの互換性も維持できる。
【００６３】
実施例２にかかる基地局装置は、実施例１と同様にバースト信号のヘッダ情報に所定の情報を挿入するが、着信情報でなく通信対象の端末装置の識別番号であるとする。前述のごとく、識別番号はバースト信号のペイロードに含まれ、さらに一般的にある程度の長さのビット長を有する。しかしながら、バースト信号のヘッダ情報に挿入可能なデータのビット長は、ペイロードに含められるデータのビット長よりも少ないので、識別番号をヘッダ情報に含める場合、識別番号の機能を有し、かつ識別番号よりも簡易な番号（以下、「簡易番号」という）に変換してから挿入する。そのため、端末装置は、受信すべきデータがバースト信号に含まれていないことをヘッダ情報の受信のみで確認できるので、受信すべきデータがバースト信号に含まれていなければペイロードの復調を省略でき、受信の動作効率を向上できる。
【００６４】
さらに、ひとつのペイロードに複数の端末装置に対するデータを含めれば、バースト信号の利用効率は向上し、データの伝送容量も向上する。しかしながら、ペイロードの伝送レートは可変であり、かつヘッダ情報に含まれて伝送レートを指示する伝送レート情報は１種類のみであるので、ペイロードに含めた複数の端末装置に対するデータが異なった伝送レートを有すれば、ヘッダ情報でそれらを指示することが不可能になる。そこで、本実施例に係る基地局装置は、同一の伝送レートを有した端末装置に対するデータをひとつのペイロードにまとめるように制御する。そのため、基地局装置は効率よくデータを伝送できる。
【００６５】
図１０は、実施例２に係る送信部３０の構成を示す。図５の送信部３０と比較して割当部９０、記憶部９２が異なる。また、ここでも、下り回線のデータチャネルを説明の対象にするので、図１０の送信部３０は、図１の基地局装置１４に含まれているものとする。
【００６６】
送信部３０の説明する前に予備動作を説明する。基地局装置１４は、データチャネルを設定する前に端末装置１０からランダムアクセスチャネルを受信する。基地局装置１４は、ランダムアクセスチャネルを受信すると図示しない測定部で受信したランダムアクセスチャネルのＳＮ（Ｓｉｇｎａｌ  ｔｏ  Ｎｏｉｓｅ）比を測定する。なお、ＳＮ比は、ＳＮＩＲや信号強度など信号の品質を示す任意の測定量であってもよい。インターフェース部３２は、送信すべきデータ、当該データに対応した制御情報のほかに、データチャネルの送信前に測定したＳＮ比を入力する。入力したＳＮ比は、割当部９０に出力する。
【００６７】
記憶部９２は、測定したＳＮ比にもとづいてデータを送信すべき端末装置１０を分類する複数のグループを予め規定しており、かつ複数のグループのそれぞれの番号とひとつのグループに割り当て可能な複数の簡易番号に関する情報を予め記憶する。図１１は、記憶部９２に記憶した簡易番号とグループ番号の対応を示す。図中のグループ番号「１」から「４」は、端末装置１０を分類すべき４つのグループであり、割当部９０は測定したＳＮ比を所定のしきい値と比較してこれらの４つのグループのうちのいずれかに分類されるものとする。なお、ここでは、４つのグループ番号のうち「４」が最もＳＮ比が高いグループであり、「１」が最もＳＮ比が低いグループであるとする。
【００６８】
一般的にＳＮ比と伝送レートは対応するので、グループ番号「４」が最も高い伝送レートを示し、グループ番号「１」が最も低い伝送レートを示すことに相当する。さらに図１１では、それぞれのグループに対応した簡易番号も示す。すなわち、測定したＳＮ比にもとづいてグループ番号「１」への割り当てを決定した場合、その端末装置１０には簡易番号「１」から「８」のいずれかを割り当てる。同様にグループ番号「２」に対しては簡易番号「９」から「１６」のいずれかを割り当て、グループ番号「３」に対しては簡易番号「１７」から「２４」のいずれかを割り当て、グループ番号「４」に対しては簡易番号「２５」から「３２」のいずれかを割り当てる。
【００６９】
図１０に戻る。割当部９０は、データチャネルを送信する前に測定したＳＮ比にもとづいてデータを送信すべき端末装置１０に対するデータの伝送レートを決定する。さらに、伝送レートにもとづいて端末装置１０に記憶部９２に記憶したグループ番号のうちのいずれかを割り当て、割り当てたグループ番号に対応した簡易番号を付与する。ここで、簡易番号は「１」から「３２」の５ビットで準備されており、端末装置１０を識別するための識別番号がそれ以上であれば、簡易番号は識別番号よりも簡易な番号である。簡易番号は、該当するグループに対応した複数の簡易番号の中の小さい番号から順に付与されていくものとする。図１１を例にすれば、グループ番号「１」のグループに対して、最初の端末装置１０には簡易番号「１」を付与し、それに続く端末装置１０には「２」から順にインクリメントした簡易番号を付与する。さらに、簡易番号が「８」になった場合、既に割り当てた簡易番号「１」を重複するように新たな端末装置１０に付与する。
【００７０】
すなわち、ひとつの簡易番号「１」を複数の端末装置１０に対して付与する。同一の簡易番号が付与されたふたつの端末装置１０がバースト信号を受信し、ヘッダ情報に簡易番号「１」が含まれていると、ふたつの端末装置１０は共にペイロードを復調および復号し、ペイロードに含まれた識別番号を確認して、自らの識別番号に該当するかを確認する。最終的には、識別番号でデータを受信すべき端末装置１０を識別するので、簡易番号が重複することには問題がないといえる。また、同一の簡易番号が付与される端末装置１０に対する伝送レートは同一であるので、同一の簡易番号が付与された端末装置１０に対するデータを同一のペイロードに含めるようにすれば、データの伝送効率が向上する。なお、ひとつの簡易番号を割り当てる端末装置１０の数を例えば「４台」に制限してもよい。
【００７１】
図１２は、割当部９０でなされる簡易番号の割り当て手順を示すフローチャートである。基地局装置１４は、図示しない測定部において端末装置１０から受信したランダムアクセスチャネルのＳＮ比を測定する（Ｓ４０）。割当部９０は、測定したＳＮ比にもとづいてグループ番号Ｘを決定する（Ｓ４２）。さらに、記憶部９２からグループ番号Ｘで既に割り当てた現在の簡易番号を取得する（Ｓ４４）。取得した簡易番号が８Ｘであれば（Ｓ４６のＹ）、割当部９０は、簡易番号「８（Ｘ−１）＋１」を割り当てる（Ｓ４８）。一方、取得した簡易番号が８Ｘでなければ（Ｓ４６のＮ）、割当部９０は、取得した簡易番号をインクリメントした簡易番号を割り当てる（Ｓ５０）。記憶部９２は、割り当てた簡易番号を記憶する（Ｓ５２）。基本的に、以上の処理は所定の端末装置１０に対してデータチャネルを設定する際に実行され、一旦データチャネルが設定された後は、ひとつの端末装置１０に対して同一の簡易番号を使用する。
【００７２】
図１０に戻る。ヘッダ生成部４８は、伝送レート制御部４４から伝送レートに関する情報を受け付け、データ長取得部４６からデータ長に関する情報を受け付け、割当部９０から簡易番号を受け付ける。さらに、これらにもとづて、図３（ｂ）のバースト信号に含まれたヘッダ情報を生成する。生成方法は、実施例１において図６（ａ）−（ｃ）で示した方法と同一であるので、詳細は省略する。図６（ｂ）に図示したごとく、Ｒｅｅｄ−Ｍｕｌｌｅｒ変換したデータのそれぞれの値を予め規定された繰り返し回数の８回より少ない６回繰り返した場合において、ヘッダ情報全体では、６０ビット埋まっていない状態にある。また、図６（ｃ）に図示したごとく、ひとつのビットは、ブロックの平均値を変更しない規則に基づいて２ビットに変更されるので、ヘッダ情報に３０ビットの簡易番号を挿入できる。ここでの１ビットから２ビットへの変換は、「１」が「１０」になるように、「０」が「０１」になるようになされるものとする。
【００７３】
図１３は、ヘッダ生成部４８で挿入すべき簡易番号の構成を示す。３０ビットで構成されているが、ひとつのバースト信号のペイロードで多重可能なデータ数を「５」として、５つの簡易番号をひとつのヘッダ情報に挿入可能であるとする。図示のごとく、ひとつの簡易番号は「５」ビットで構成されており、さらに「１」ビットのパリティビットが付加されるので、ひとつの簡易番号あたり６ビットで構成される。このように３０ビットで構成された簡易番号は、それぞれのビットが１ビットから２ビットに変換されて６０ビットのデータになる。それぞれは、２ビットをひとつの単位として複数の部分に分割されてから、３０ブロックに挿入される。
【００７４】
さらに、ヘッダ情報に複数の簡易番号をそれぞれ挿入する際に、挿入されるべき複数の簡易番号を所定の規則性、例えば昇順にもとづいて並べてもよい。例えば、簡易番号を「１」「２」「３」の順に並べれば、簡易番号「２」が割り当てられた端末装置１０がヘッダ情報から簡易番号を抽出する際に簡易番号「２」の抽出に失敗しても、その前後の簡易番号である簡易番号「１」「３」を抽出できていれば、そこから簡易番号「２」が含まれることを推定できる。図５に戻る。信号生成部３８は、同一の伝送レートを有した端末装置１０へのデータをひとつのペイロードにまとめてバースト信号を生成する。
【００７５】
図１４は、実施例２に係る受信部６０の構成を示す。図７の受信部６０と比較して簡易番号導出部９４、判定部９６、対応部９８が異なる。また、ここでも、下り回線のデータチャネルを説明の対象にするので、図４０の受信部６０は、図１の端末装置１０に含まれているものとする。
【００７６】
簡易番号導出部９４は、抽出部６６で抽出したヘッダ情報に含まれたブロックの中から、簡易番号に対応した６０ビットの情報を抽出し、さらに、前述した送信部３０における着信情報の１ビットから２ビットへの変換の規則に基づいて、これと逆の処理を行って３０ビットの簡易番号を導出する。判定部９６は、導出した簡易番号を５つの簡易番号に分割し、それらのうちのひとつが自らの簡易番号に該当するかを判定する。自らの簡易番号に該当した場合、ペイロードに受信すべきデータが存在する可能性があるので、その実行を伝送レート制御部７６とデータ長取得部７８に対して指示する。一方、自らの簡易番号に該当しない場合、ペイロードに受信すべきデータは存在しないので、伝送レート制御部７６とデータ長取得部７８に対して実行を指示しない。
【００７７】
なお、基地局装置１４との間でデータチャネルを設定した際に、基地局装置１４から簡易番号を通知されないので、自らの簡易番号は不明である。そのために、最初はすべてのバースト信号を復調及び復号して識別番号を抽出し、対応部９８が自らに該当した識別番号とその際にヘッダ情報に含まれた簡易番号の関係を対応付けて、自らに付与された簡易番号を認識し、それ以後の処理に使用するために記憶する。
【００７８】
図１５は、受信処理の手順を示すフローチャートである。受信部６０は、バースト信号を受信するが、既に自らに対応した簡易番号を取得していなければ（Ｓ６０のＮ）、復調部６８と復号部７０は、受信したバースト信号のうちのペイロードを復調及び復号する（Ｓ６２）。インターフェース部７２は、復号したペイロードに含まれた識別番号に自らの識別番号が含まれているか否かを確認する。自らの識別番号に該当する場合（Ｓ６４のＹ）、対応部９８はそのときの簡易番号を対応付けて記憶する（Ｓ６６）。さらに受信部６０は、受信したデータを処理する（Ｓ６８）。一方、自らの識別番号に該当しない場合（Ｓ６４のＮ）、連続したバースト信号を受信して、同様の処理を繰り返し実行する。
【００７９】
受信部６０が既に自らに対応した簡易番号を取得していれば（Ｓ６０のＹ）、抽出部６６は受信したバースト信号からヘッダ情報を抽出する（Ｓ７０）。簡易番号導出部９４がヘッダ情報から導出した簡易番号が、判定部９６によって自らの簡易番号に該当すると判定されれば（Ｓ７２のＹ）、復調部６８と復号部７０はデータを復調及び復号する（Ｓ７４）。一方、判定部９６によって自らの簡易番号に該当すると判定されなければ（Ｓ７２のＮ）、復調部６８と復号部７０はデータを復調及び復号しない。インターフェース部７２は、復号したデータに含まれた識別番号が自らの識別番号に該当すれば（Ｓ７６のＹ）、データを処理する（Ｓ８０）。しかしながら、。インターフェース部７２は、復号したデータに含まれた識別番号が自らの識別番号に該当しなければ（Ｓ７６のＮ）、復号したデータを廃棄する（Ｓ７８）。
【００８０】
本発明の実施例によれば、バースト信号のヘッダ情報に端末装置を識別する簡易な簡易番号を含めるので、受信装置は少なくともヘッダ情報に含まれた簡易番号を確認するための動作を実行すればよいので、受信動作の効率を向上できる。また、消費電力を低減できる。また、ヘッダ情報に挿入する簡易番号は、所定回数繰り返す制御情報のそれぞれの平均値を変更しないような値に変換してから挿入するので、既に稼動している受信装置との互換性を維持できる。
【００８１】
（実施例３）
本発明の実施例３は、実施例１や２と同様に、複数の端末装置が基地局装置と通信する無線通信システム、特にＷＬＬシステムを対象にする。実施例１や２に係る基地局装置は、データチャネルにおけるバースト信号の構造を利用して、バースト信号のヘッダ情報に着信情報や簡易番号を挿入して端末装置に伝送した。さらに、ヘッダ情報に挿入する着信情報や簡易番号は、既に稼動している端末装置が当該バースト信号を受信した場合でも正確にヘッダ情報を処理できるような規則性に基づいて予め変換している。実施例３にかかる基地局装置は、実施例１と２を組み合わせた形態に相当し、バースト信号のヘッダ情報に着信情報を挿入しつつ、簡易番号も挿入して端末装置に伝送する。
【００８２】
実施例３に係る送信部３０は、図５に示した送信部３０と図１０に示した送信部３０を組み合わせた形に相当し、実施例３に係る受信部６０は図７に示した受信部６０と図１４に示した受信部６０を組み合わせた形に相当するので、それらの説明を省略する。
【００８３】
送信部３０において、ヘッダ生成部４８は、ヘッダ情報に着信情報と識別番号を挿入する。図１６は、実施例３に係るヘッダ情報に挿入すべき簡易番号と着信情報の構成を示す。図１６は、図１３に対応するように示されている。図示のごとく、第１簡易番号から第４簡易番号の４つの簡易番号とひとつの着信情報が含められている。ここで、着信情報は、１ビットの着信情報が６回繰り返されて６ビットの情報として形成されていてもよいし、６ビットが複数の部分に分割されて、分割された部分の数に応じた端末装置１０に対する着信情報が含まれていてもよい。受信部６０において、決定部８０および簡易番号導出部９４が、抽出したヘッダ情報に含まれた簡易番号と着信情報を導出する。
【００８４】
さらに、以上のように説明した実施例３の変形例を説明する。変形例は、実施例３のようにヘッダ情報に簡易番号と着信情報を含めるようなＷＬＬシステムであって、さらにＷＬＬシステムに含まれた端末装置での受信動作の効率を向上させるように制御する。ここでは、端末装置１０に予め設定された識別番号、例えば、端末装置１０の電話番号にもとづいて、基地局装置１４が複数の端末装置１０を複数のグループに分類する（ここでのグループは、実施例２で説明したグループと別に設けられてもよいが、便宜上単に「グループ」といい、実施例２におけるグループと区別しないものとする）。すなわち、端末装置１０の識別番号を構成した複数のビットのうち上位６ビットをグループ番号として６４種のグループを設ける。さらに、端末装置１０の識別番号を構成した複数のビットのうち下位５ビットをひとつのグループ番号の中の簡易番号として３２種の簡易番号を設ける。これらの割り当ての処理は、図１０の送信部３０における割当部９０、記憶部９２で行われる。
【００８５】
図１７は、実施例３の変形例に係るフレームの割当てを示す。図示のごとく、前述したフレームは６４フレームをひとつの単位としてマルチフレームを構成し、さらに４つのマルチフレームをひとつの単位としてスーパーフレームを構成する。ひとつのマルチフレームを構成した６４フレームは、予め設けられた６４個のグループにそれぞれ割り当てられる。なお、図示しないが、ひとつのグループに割り当てられたフレームは、当該グループに含まれた簡易番号を付与した端末装置１０に割り当てられべきバースト信号によって構成されるものとする。以上のような構成で、ひとつのスーパーフレームに対して、ひとつのグループには４つのフレームが割り当てられる。
【００８６】
基地局装置１４は、例えばグループ番号「２」の簡易番号「１０」の端末装置１０に対して着信があった場合、ヘッダ生成部４８は、グループ番号「２」が割り当てられたフレームのうちのバースト信号に含まれたヘッダ情報に、着信ありを示した着信情報を挿入する。さらに、ヘッダ生成部４８は、グループ番号「２」が割り当てられたフレームのうちのバースト信号に含まれたヘッダ情報に、簡易番号「１０」を挿入する。
【００８７】
受信部６０の判定部９６は、複数のグループのうちで所属すべきグループのフレームが送信されるべきタイミングを管理している。なお、フレームが送信されるべきタイミングの絶対値、例えばスーパーフレームの先頭のタイミングは、前述した報知チャネルを受信して取得する。判定部９６は、該当するグループのフレームが送信されるべきタイミングのバースト信号を受信し、バースト信号のヘッダ情報に含まれた簡易番号のうち自らに該当した簡易番号が存在するかを確認する。
【００８８】
自らに該当した簡易番号が存在する場合に、着信通知部５０は着信情報を確認し、着信情報が着信ありを示していれば、復調部６８と復号部７０に復調および復号を指示する。さらに、インターフェース部７２がペイロードに含まれた識別番号が自らの識別番号に該当すれば、受信部６０を含んだ端末装置１０は、基地局装置１４との間で通話チャネルを確立するための処理を実行する。一方、判定部９６が該当する簡易番号の存在を確認しなかった場合、あるいは着信通知部５０で確認された着信情報が着信なしを示していれば、復調部６８と復号部７０に復調および復号を指示せず、次のフレームが送信されるべきタイミングまで省電力モードに設定される。
【００８９】
本発明の実施例によれば、バースト信号に含まれたヘッダ情報に着信情報と簡易番号を挿入させるので、受信装置はヘッダ情報に含まれた簡易番号と着信情報が示した情報の組合せが該当する場合にバースト信号全体を処理すればよく、受信動作の効率を向上できる。また、ヘッダ情報に着信番号と簡易番号の組合せを含めるので、端末装置の不要な動作を防止できる。さらに、端末装置の識別番号に応じて所定のグループを規定し、グループに対して規則的にフレームを割り当てるので、端末装置による受信動作をさらに向上できる。
【００９０】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００９１】
本発明の実施例１から３において、通信システム１００としてＷＬＬシステムを対象にしたが、これに限らず、例えば、移動通信システムを対象にしていればよい。本変形例によれば、様々な通信システム１００に本発明を適用できる。つまり、通信システム１００を構成する基地局装置１４が所定のチャネルを端末装置１０に割り当てるシステムであり、バースト信号のヘッダ情報が実施例１から３のごとく、所定回数繰り返されて形成されていればよい。
【００９２】
本発明の実施例２において、送信部３０の割当部９０は、測定したＳＮ比にもとづいて端末装置１０に対して簡易番号を付与していた。しかしながらこれに限らず例えば、割当部９０は、簡易番号のうちで所定の番号を共通番号として規定してもよい。その際、受信部６０は、受信したバースト信号に含まれた簡易番号が共通番号であれば、パースと信号のペイロードを復調する。本変形例によれば、基地局装置１４は、複数の端末装置１０に共通の放送系のサービスを提供できる。つまり、基地局装置１４と端末装置１０の間で簡易番号に関する共通の規則が設けられていればよい。
【００９３】
本発明の実施例１から実施例３を任意に組み合わせた構成も有効である。本変形例によれば、実施例１から実施例３を組み合わせた効果が得られる。
【００９４】
実施例１から３に記載された発明の特徴は、次の項目によって規定されてもよい。
（項目１−１）
所定の受信装置に送信すべきデータを入力するデータ入力部と、
前記入力したデータに対応した制御情報を入力する制御情報入力部と、
前記入力した制御情報に付加すべき付加情報を入力する付加情報入力部と、
前記入力した制御情報を予め規定された複数の繰り返し回数よりも少ない回数だけ繰り返してヘッダ情報を生成するヘッダ情報生成部と、
前記予め規定された複数の繰り返し回数と前記制御情報を繰り返した回数との差違に応じて、前記生成したヘッダ情報に前記入力した付加情報を挿入する付加情報挿入部と、
前記付加情報を挿入したヘッダ情報と前記入力したデータにもとづいて、バースト信号を生成するバースト信号生成部と、
前記生成したバースト信号を前記受信装置に送信する送信部と、
を備えることを特徴とする送信装置。
【００９５】
（項目１−２）
前記制御情報入力部に入力した制御情報は、複数のビットによって構成されており、
前記付加情報入力部に入力した付加情報は、所定のビットによって構成されており、
前記ヘッダ情報生成部は、前記複数のビットのそれぞれを予め規定された複数の繰り返し回数よりも少ない回数だけ繰り返し、
前記付加情報挿入部は、前記複数のビットのそれぞれをひとつの単位にしたブロックに対して、繰り返し回数が、前記予め規定された複数の繰り返し回数よりも少ない回数から、前記予め規定された複数の繰り返し回数になるまで、前記複数のビットのそれぞれの代わりに、前記所定のビットを変換したそれぞれの値を挿入し、前記所定のビットを変換したそれぞれの値は、ブロックのそれぞれの平均値が前記複数のビットのそれぞれの値に近くなるように生成されることを特徴とする（項目１−１）に記載の送信装置。
【００９６】
（項目１−３）
前記付加情報挿入部は、前記所定のビットのそれぞれから、当該それぞれの値を反転した値と当該それぞれの値を組合せた値に変換することを特徴とする（項目１−２）に記載の送信装置。
【００９７】
（項目１−４）
前記付加情報入力部に入力した付加情報を構成した所定のビットは、前記受信装置に着信を通知するための情報であることを特徴とする（項目１−２）または（項目１−３）に記載の送信装置。
【００９８】
（項目３−１）
前記付加情報入力部に入力した付加情報を構成した所定のビットは、データを送信すべき対象の受信装置に付与された識別番号をさらに含んでおり、
前記付加情報挿入部は、前記識別番号を複数の部分に分割し、当該分割した複数の部分を前記ブロックのそれぞれに挿入することを特徴とする（項目１−４）に記載の送信装置。
【００９９】
（項目３−２）
データを送信すべき対象の複数の受信装置を複数のグループに分類し、複数のグループのそれぞれにデータを送信すべきタイミングを割り当てる割当部をさらに備え、
前記付加情報入力部に入力した付加情報は、前記データを送信すべきタイミングが割り当てられたグループに含まれた受信装置に付与された識別番号と、当該受信装置に着信を通知するための情報を組み合わせた情報であることを特徴とする（項目３−１）に記載の送信装置。
【０１００】
（項目１−５）
所定の受信装置に送信すべきデータと、前記データに対応した制御情報と、前記制御情報に付加すべき付加情報を入力し、前記入力した制御情報を予め規定された複数の繰り返し回数よりも少ない回数だけ繰り返してヘッダ情報を生成しつつ、前記予め規定された複数の繰り返し回数と前記制御情報を繰り返した回数との差違に応じて、前記生成したヘッダ情報に前記入力した付加情報を挿入し、前記付加情報を挿入したヘッダ情報と前記入力したデータにもとづいて、バースト信号を生成することを特徴とする送信方法。
【０１０１】
（項目１−６）
データと、前記データに対応した制御情報と、前記制御情報に付加すべき付加情報によって構成されたバースト信号であって、前記制御情報が予め規定された複数の繰り返し回数よりも少ない回数だけ繰り返され、かつ前記付加情報が前記予め規定された複数の繰り返し回数と前記制御情報を繰り返した回数の差違に応じて挿入されたバースト信号を受信する受信部と、
前記受信したバースト信号から、前記制御情報と前記付加情報に対応したヘッダ情報を抽出する抽出部と、
前記抽出したヘッダ情報に対して、前記予め規定された複数の繰り返し回数に応じた処理を行って制御情報と付加情報を導出する導出部と、
前記導出した付加情報にもとづいて前記導出した制御情報の処理内容を決定し、かつ前記決定した制御情報の処理内容と前記導出した制御情報にもとづいてデータの処理内容を決定する決定部と、
前記決定したデータの処理内容に応じて、前記データを処理する処理部と、
を備えることを特徴とする受信装置。
【０１０２】
（項目１−７）
前記受信部で受信したバースト信号に含まれた制御情報は複数のビットで構成され、前記複数のビットのそれぞれをひとつの単位にしたブロックの内部で、前記複数のビットのそれぞれが予め規定された複数の繰り返し回数よりも少ない回数だけ繰り返されており、かつ前記付加情報は所定のビットで構成され、当該所定のビットを変換したそれぞれの値がそれぞれのブロックに挿入されており、
前記導出部は、前記抽出したヘッダ情報に含まれたブロックのそれぞれに対して、前記予め規定された複数の繰り返し回数だけブロックの内部で加算処理を行って制御情報を導出し、かつ付加情報を構成した所定のビットのそれぞれに対してなされた変換が、ブロックのそれぞれの平均値が前記複数のビットのそれぞれの値に近くなる規則性にもとづくことを利用して、前記ブロックのそれぞれから付加情報を導出することを特徴とする（項目１−６）に記載の受信装置。
【０１０３】
（項目１−８）
前記導出部は、付加情報を構成した所定のビットのそれぞれに対してなされた変換が、前記所定のビットのそれぞれから、当該それぞれの値を反転した値と当該それぞれの値を組合せた値への変換であることを利用して、前記ブロックのそれぞれから付加情報を導出することを特徴とする（項目１−７）に記載の受信装置。
【０１０４】
（項目１−９）
前記導出部で導出した付加情報は、着信を通知するための情報であって、
前記決定部は、前記導出した付加信号が着信を示した場合に、前記導出した制御情報にもとづいたデータの復調を決定することを特徴とする（項目１−６）から（項目１−８）のいずれかに記載の受信装置。
【０１０５】
（項目３−３）
前記導出部で導出した付加情報は、データを復調すべき受信装置に付与された識別番号をさらに含み、
前記決定部は、前記導出した識別番号が自らの識別番号であった場合に、前記導出した制御情報にもとづいたデータの復調を決定することを特徴とする（項目１−９）に記載の受信装置。
【０１０６】
（項目３−４）
バースト信号を送信すべき送信装置によって、複数の受信装置が複数のグループに分類され、かつ複数のグループのそれぞれにデータの受信タイミングが割り当てられており、前記複数のグループのうちで所属すべきグループを管理するグループ管理部をさらに備え、
前記決定部は、前記所属すべきグループに割り当てられた受信タイミングにおいて、前記導出した識別番号が自らの識別番号であって、前記導出した付加信号が着信を示した場合に、前記導出した制御情報にもとづいたデータの復調を決定することを特徴とする（項目３−３）に記載の受信装置。
【０１０７】
（項目３−５）
前記決定部が前記データの復調を決定しなかった場合に、省電力モードに設定する電源管理部をさらに備えることを特徴とする（項目１−９）、（項目３−３）、（項目３−４）のいずれかに記載の受信装置。
【０１０８】
（項目１−１０）
データと、前記データに対応した制御情報と、前記制御情報に付加すべき付加情報によって構成されたバースト信号であって、前記制御情報が予め規定された複数の繰り返し回数よりも少ない回数だけ繰り返され、かつ前記付加情報が前記予め規定された複数の繰り返し回数と前記制御情報を繰り返した回数の差違に応じて挿入されたバースト信号を受信するステップと、
前記受信したバースト信号から、前記制御情報と前記付加情報に対応したヘッダ情報を抽出するステップと、
前記抽出したヘッダ情報に対して、前記予め規定された複数の繰り返し回数に応じた処理を行って制御情報と付加情報を導出するステップと、
前記導出した付加情報にもとづいて前記導出した制御情報の処理内容を決定し、かつ前記決定した制御情報の処理内容と前記導出した制御情報にもとづいてデータの処理内容を決定するステップと、
前記決定したデータの処理内容に応じて、前記データを処理するステップと、
を備えることを特徴とする受信方法。
【図面の簡単な説明】
【０１０９】
【図１】実施例１に係る通信システムの構成を示す図である。
【図２】図１の通信システムでのチャネルの遷移を示す図である。
【図３】図３（ａ）−（ｂ）は、図１のフレームフォーマットとバーストフォーマットの構成を示す図である。
【図４】図４（ａ）−（ｃ）は、実施例１の前提となる通信システムのヘッダ情報の生成過程を示す図である。
【図５】図１の通信システムにおける送信部の構成を示す図である。
【図６】図６（ａ）−（ｃ）は、図５のヘッダ生成部におけるヘッダ情報の生成過程を示す図である。
【図７】図１の通信システムにおける受信部の構成を示す図である。
【図８】図７の受信処理の手順を示すフローチャートである。
【図９】図９（ａ）−（ｂ）は、実施例１の前提となる通信システムと図８の手順によるフレームの処理の相違を示す図である。
【図１０】実施例２に係る送信部の構成を示す図である。
【図１１】図１０の記憶部に記憶した簡易番号とグループ番号の対応を示す図である。
【図１２】図１０の割当部でなされる簡易番号の割り当て手順を示すフローチャートである。
【図１３】図１０のヘッダ生成部で挿入すべき簡易番号の構成を示す図である。
【図１４】実施例２に係る受信部の構成を示す図である。
【図１５】図１４の受信処理の手順を示すフローチャートである。
【図１６】実施例３に係るヘッダ情報に挿入すべき簡易番号と着信情報の構成を示す図である。
【図１７】実施例３の変形例に係るフレームの割当てを示す図である。
【符号の説明】
【０１１０】
１０  端末装置、  １２  端末用アンテナ、  １４  基地局装置、  １６  基地局用アンテナ、  １８  ＰＳＴＮゲートウエイ、  ２０  インターネットゲートウエイ、  ２２  ＰＳＴＮネットワーク、  ２４  インターネット、  ３０  送信部、  ３２  インターフェース部、  ３４  符号化部、  ３６  変調部、  ３８  信号生成部、  ４０  拡散部、  ４２  無線部、  ４４  伝送レート制御部、  ４６  データ長取得部、  ４８  ヘッダ生成部、  ５０  着信通知部、  ５２  制御部、  ６０  受信部、  ６２  無線部、  ６４  逆拡散部、  ６６  抽出部、  ６８  復調部、  ７０  復号部、  ７２  インターフェース部、  ７４  制御情報導出部、  ７６  伝送レート制御部、  ７８  データ長取得部、  ８０  決定部、  ８２  制御部、  ９０  割当部、  ９２  記憶部、  ９４  簡易番号導出部、  ９６  判定部、  ９８  対応部、  １００  通信システム。
【図１】
2005260611.tif 000003
【図２】
2005260611.tif 000004
【図３】
2005260611.tif 000005
【図４】
2005260611.tif 000006
【図５】
2005260611.tif 000007
【図６】
2005260611.tif 000008
【図７】
2005260611.tif 000009
【図８】
2005260611.tif 000010
【図９】
2005260611.tif 000011
【図１０】
2005260611.tif 000012
【図１１】
2005260611.tif 000013
【図１２】
2005260611.tif 000014
【図１３】
2005260611.tif 000015
【図１４】
2005260611.tif 000016
【図１５】
2005260611.tif 000017
【図１６】
2005260611.tif 000018
【図１７】
2005260611.tif 000019